(57)【要約】本開示は、携帯端末の圧力検出方法及びその装置に関し、端末技術の分野に属する。本方法は、前記液晶ディスプレイの前記液晶層中の前記透明電極と支持アレイとの間の容量値を検出する処理と、前記検出した容量値に基づき、操作体により前記液晶ディスプレイ上に加えられている圧力値を求める処理と、を含む。本開示により提供される技術的解決手段により、液晶ディスプレイ上に加わる圧力値を、液晶ディスプレイの液晶層中の透明電極と支持アレイとの間の容量値を検出することにより求めることができ、よって、液晶ディスプレイのタッチセンサとは異なる３次元圧力検出を実現し、検出された圧力値に応じてさらなる機能を実現したり、ヒューマンコンピュータインタラクションを向上させたりすることができる。
2017527862.tif 000002
【特許請求の範囲】
【請求項１】
携帯端末の圧力検出方法であって、前記携帯端末は液晶ディスプレイと、前記液晶ディスプレイの液晶層に配置された透明電極とを有し、前記方法は、
前記透明電極と前記液晶ディスプレイの前記液晶層中の支持アレイとの間の容量値を検出する処理と、
前記検出した容量値に基づき、操作体により前記液晶ディスプレイ上に加えられている圧力値を求める処理と、を含むことを特徴とする。
【請求項２】
前記した、前記透明電極と前記液晶ディスプレイの前記液晶層中の支持アレイとの間の容量値を検出する処理は、
前記透明電極の電圧値を検出する処理と、
前記電圧値に基づいて前記透明電極と前記液晶ディスプレイの前記液晶層中の支持アレイとの間の容量値を算出する処理と、を含むことを特徴とする請求項１に記載の方法。
【請求項３】
前記透明電極が、複数の透明電極を縦方向及び／又は横方向に平行に並べてなり、
前記した、前記透明電極の電圧値を検出する処理は、
各透明電極の前記電圧値を第１所定周期に応じて１つずつ検出する処理を含むことを特徴とする請求項２に記載の方法。
【請求項４】
前記透明電極が、複数の透明電極を縦方向及び／又は横方向に平行に並べてなり、
前記した、前記透明電極の電圧値を検出する処理は、
各透明電極の前記電圧値を第２所定周期に応じて同時に検出する処理を含むことを特徴とする請求項２に記載の方法。
【請求項５】
前記した、前記電圧値に基づいて前記透明電極と前記液晶ディスプレイの前記液晶層中の支持アレイとの間の容量値を算出する処理は、
各透明電極の前記電圧値に基づき、各透明電極の容量値を算出する処理と、
前記算出された容量値のうちの最大値を、前記透明電極と前記液晶ディスプレイの前記液晶層中の支持アレイとの間の容量値として選択する処理と、を含むことを特徴とする請求項３又は４に記載の方法。
【請求項６】
各透明電極の容量値を算出後、前記方法はさらに、
前記液晶ディスプレイが前記操作体によって押圧されていないときと異なる容量値を有する透明電極を選択する処理と、
前記選択された透明電極の行識別子及び列識別子を取得する処理と、
前記取得した行識別子及び列識別子に基づいて前記液晶ディスプレイ上の押圧位置を求める処理と、を含むことを特徴とする請求項３又は４に記載の方法。
【請求項７】
前記した、前記液晶ディスプレイ上に加えられている圧力値を求める処理は、
予め定めた前記容量値と前記電圧値との対応関係に従い、前記検出された容量値に対応する圧力値を取得すると共に、前記取得された圧力値に基づいて前記液晶ディスプレイ上に加えられている前記圧力値を求める処理、を含むことを特徴とする請求項１に記載の方法。
【請求項８】
前記した、前記透明電極と前記液晶ディスプレイの前記液晶層中の支持アレイとの間の容量値を検出する処理は、
前記液晶ディスプレイのブランキング期間中に、前記透明電極と前記液晶ディスプレイの前記液晶層中の支持アレイとの間の前記容量値を検出する処理を含むことを特徴とする請求項１に記載の方法。
【請求項９】
携帯端末の圧力検出装置であって、前記携帯端末は液晶ディスプレイと、前記液晶ディスプレイの液晶層に配置された透明電極とを有し、前記装置は、
前記透明電極と前記液晶ディスプレイの前記液晶層中の支持アレイとの間の容量値を検出するように構成された検出モジュールと、
前記検出した容量値に基づき、操作体により前記液晶ディスプレイ上に加えられている圧力値を求めるように構成された第１判断モジュールと、を備えることを特徴とする。
【請求項１０】
前記検出モジュールが、
前記透明電極の電圧値を検出するように構成された検出ユニットと、
前記電圧値に基づいて前記透明電極と前記液晶ディスプレイの前記液晶層中の支持アレイとの間の容量値を算出するように構成された演算ユニットと、を備えることを特徴とする請求項９に記載の装置。
【請求項１１】
前記透明電極が、複数の透明電極を縦方向及び／又は横方向に平行に並べてなり、
前記検出ユニットが、
各透明電極の電圧値を第１所定周期に応じて１つずつ検出するように構成された第１検出サブユニットを備えることを特徴とする請求項１０に記載の装置。
【請求項１２】
前記透明電極が、複数の透明電極を縦方向及び／又は横方向に平行に並べてなり、
前記検出ユニットが、
各透明電極の電圧値を第２所定周期に応じて同時に検出するように構成された第２検出サブユニットを備えることを特徴とする請求項１０に記載の装置。
【請求項１３】
前記演算ユニットが、
各透明電極の前記電圧値に基づき、各透明電極の容量値を算出するように構成された演算サブユニットと、
前記算出された容量値のうちの最大値を、前記透明電極と前記液晶ディスプレイの前記液晶層中の支持アレイとの間の容量値として選択するように構成された選択サブユニットと、を備えることを特徴とする請求項１１又は１２に記載の装置。
【請求項１４】
さらに、前記液晶ディスプレイが前記操作体によって押圧されていないときと異なる容量値を有する透明電極を選択するように構成された選択モジュールと、
前記選択された透明電極の行識別子及び列識別子を取得するように構成された取得モジュールと、
前記取得した行識別子及び列識別子に基づいて前記液晶ディスプレイ上の押圧位置を求めるように構成された第２判断モジュールと、を備えることを特徴とする請求項１１又は１２に記載の装置。
【請求項１５】
前記第１判断モジュールが、予め定めた前記容量値と前記電圧値との対応関係に従い、前記検出された容量値に対応する圧力値を取得すると共に、前記取得された圧力値に基づいて前記液晶ディスプレイ上に加えられている前記圧力値を求めるように構成されてなることを特徴とする請求項９に記載の装置。
【請求項１６】
前記検出モジュールが、
前記液晶ディスプレイのブランキング期間中に、前記透明電極と前記液晶ディスプレイの前記液晶層中の支持アレイとの間の前記容量値を検出するように構成されてなることを特徴とする請求項９に記載の装置。
【請求項１７】
携帯端末の圧力検出装置であって、前記携帯端末は液晶ディスプレイと、前記液晶ディスプレイの液晶層に配置された透明電極とを有し、前記装置は、
プロセッサと、
前記プロセッサによって実行される処理を記録するように構成されたメモリとを備え、
前記プロセッサが、前記透明電極と前記液晶ディスプレイの前記液晶層中の支持アレイとの間の容量値を検出し、
前記検出した容量値に基づき、操作体により前記液晶ディスプレイ上に加えられている圧力値を求めるように構成されてなることを特徴とする。
【発明の詳細な説明】
【技術分野】
【０００１】
（関連出願の相互参照）
本願は、２０１５年８月１２日に中国国家知識産権局へ出願された中国特許出願第２０１５１０４９４１９２．０号に基づく出願であって、その特許出願に対する優先権を主張するものであり、その全内容は、参照によって本明細書に組み込まれる。
【０００２】
本開示は、ディスプレイ技術の分野に関し、より詳しくは、携帯端末の圧力検出方法及びその装置に関する。
【背景技術】
【０００３】
液晶ディスプレイ技術の急速な発展に伴い、タッチ位置の検出など、液晶ディスプレイ技術を用いた機能が増えている。液晶ディスプレイの上に積層されたタッチパネル層を用いる場合、タッチパネル内における容量値の変化を検出することによって容量値が変化した座標位置を特定し、これによりユーザによる液晶ディスプレイ上のタッチ位置を判断することができる。かかる方法は、液晶ディスプレイ上の２次元座標を求める手段を提供することができるが、３次元座標における圧力検出手段を提供することはできない。
【発明の概要】
【０００４】
上記技術の問題点を解決すべく、本開示にあっては、携帯端末の圧力検出方法及び装置を提供する。その技術的解決手段は以下の通りである。
【課題を解決するための手段】
【０００５】
本開示の第１の態様に係る実施例では、携帯端末の圧力検出方法であって、前記携帯端末は、液晶ディスプレイと、前記液晶ディスプレイの液晶層に配置された透明電極とを備える。当該方法は、
前記透明電極と前記液晶ディスプレイの前記液晶層中の支持アレイとの間の容量値を検出する処理と、
前記検出した容量値に基づき、操作体により前記液晶ディスプレイ上に加えられている圧力値を求める処理と、を含む。
【０００６】
また、前記した、前記透明電極と前記液晶ディスプレイの前記液晶層中の支持アレイとの間の容量値を検出する処理は、
前記透明電極の電圧値を検出する処理と、
前記電圧値に基づいて前記透明電極と前記液晶ディスプレイの前記液晶層中の支持アレイとの間の容量値を算出する処理と、を含む。
【０００７】
また、前記透明電極が、複数の透明電極を縦方向及び／又は横方向に平行に並べてなり、
前記した、前記透明電極の電圧値を検出する処理は、
各透明電極の前記電圧値を第１所定周期に応じて１つずつ検出する処理を含む。
【０００８】
また、前記透明電極が、複数の透明電極を縦方向及び／又は横方向に平行に並べてなり、
前記した、前記透明電極の電圧値を検出する処理は、
各透明電極の前記電圧値を第２所定周期に応じて同時に検出する処理を含む。
【０００９】
また、前記した、前記電圧値に基づいて前記透明電極と前記液晶ディスプレイの前記液晶層中の支持アレイとの間の容量値を算出する処理は、
各透明電極の前記電圧値に基づき、各透明電極の容量値を算出する処理と、
前記算出された容量値のうちの最大値を、前記透明電極と前記液晶ディスプレイの前記液晶層中の支持アレイとの間の容量値として選択する処理と、を含む。
【００１０】
また、各透明電極の容量値を算出後、前記方法はさらに、
前記液晶ディスプレイが前記操作体によって押圧されていないときと異なる容量値を有する透明電極を選択する処理と、
前記選択された透明電極の行識別子及び列識別子を取得する処理と、
前記取得した行識別子及び列識別子に基づいて前記液晶ディスプレイ上の押圧位置を求める処理と、を含む。
【００１１】
また、前記した、前記液晶ディスプレイ上に加えられている圧力値を求める処理は、
予め定めた前記容量値と前記電圧値との対応関係に従い、前記検出された容量値に対応する圧力値を取得すると共に、
前記取得された圧力値に基づいて前記液晶ディスプレイ上に加えられている前記圧力値を求める処理、を含む。
【００１２】
また、前記した、前記透明電極と前記液晶ディスプレイの前記液晶層中の支持アレイとの間の容量値を検出する処理は、前記液晶ディスプレイのブランキング期間中に、前記透明電極と前記液晶ディスプレイの前記液晶層中の支持アレイとの間の前記容量値を検出する処理を含む。
【００１３】
また、本開示の第２の態様に係る実施例では、携帯端末の圧力検出装置であって、前記携帯端末は液晶ディスプレイと、前記液晶ディスプレイの液晶層に配置された透明電極とを備える。当該装置は、
前記透明電極と前記液晶ディスプレイの前記液晶層中の支持アレイとの間の容量値を検出するように構成された検出モジュールと、
前記検出した容量値に基づき、操作体により前記液晶ディスプレイ上に加えられている圧力値を求めるように構成された第１判断モジュールと、を備える。
【００１４】
また、前記検出モジュールが、
前記透明電極の電圧値を検出するように構成された検出ユニットと、
前記電圧値に基づいて前記透明電極と前記液晶ディスプレイの前記液晶層中の支持アレイとの間の容量値を算出するように構成された演算ユニットと、を備える。
【００１５】
また、前記透明電極が、複数の透明電極を縦方向及び／又は横方向に平行に並べてなり、
前記検出ユニットは、
各透明電極の電圧値を第１所定周期に応じて１つずつ検出するように構成された第１検出サブユニットを備える。
【００１６】
また、前記透明電極が、複数の透明電極を縦方向及び／又は横方向に平行に並べてなり、
前記検出ユニットは、
各透明電極の電圧値を第２所定周期に応じて同時に検出するように構成された第２検出サブユニットを備える。
【００１７】
また、前記演算ユニットが、
各透明電極の前記電圧値に基づき、各透明電極の容量値を算出するように構成された演算サブユニットと、
前記算出された容量値のうちの最大値を、前記透明電極と前記液晶ディスプレイの前記液晶層中の支持アレイとの間の容量値として選択するように構成された選択サブユニットと、を備える。
【００１８】
さらに、前記液晶ディスプレイが前記操作体によって押圧されていないときと異なる容量値を有する透明電極を選択するように構成された選択モジュールと、
前記選択された透明電極の行識別子及び列識別子を取得するように構成された取得モジュールと、
前記取得した行識別子及び列識別子に基づいて前記液晶ディスプレイ上の押圧位置を求めるように構成された第２判断モジュールと、を備える。
【００１９】
また、前記第１判断モジュールが、予め定めた前記容量値と前記電圧値との対応関係に従い、前記検出された容量値に対応する圧力値を取得すると共に、前記取得された圧力値に基づいて前記液晶ディスプレイ上に加えられている前記圧力値を求めるように構成されてなる。
【００２０】
また、前記検出モジュールは、
前記液晶ディスプレイのブランキング期間中に、前記透明電極と前記液晶ディスプレイの前記液晶層中の支持アレイとの間の前記容量値を検出する。
【００２１】
また、本開示の第３の態様に係る実施例では、携帯端末の圧力検出装置であって、前記携帯端末は液晶ディスプレイと、前記液晶ディスプレイの液晶層に配置された透明電極とを備え、前記装置は、
プロセッサと、
前記プロセッサによって実行される処理を記録するように構成されたメモリとを備え、
前記プロセッサが、前記透明電極と前記液晶ディスプレイの前記液晶層中の支持アレイとの間の容量値を検出し、
前記検出した容量値に基づき、操作体により前記液晶ディスプレイ上に加えられている圧力値を求める。
【発明の効果】
【００２２】
本開示により提供される技術的解決手段は、以下の有益な効果を有する。
【００２３】
液晶ディスプレイ上に加わる圧力値を、透明電極と液晶ディスプレイの液晶層中の支持アレイとの間の容量値を検出することにより求めることができ、これにより、液晶ディスプレイのタッチセンサとは異なる３次元圧力検出を実現し、検出された圧力値に応じてさらなる機能を実現したり、ヒューマンコンピュータインタラクションを向上させたりすることができる。
【００２４】
本開示の実施例による上記及びその他の態様と効果は、以下の詳細な説明及び図面によってより明確かつ容易に理解することができる。
【図面の簡単な説明】
【００２５】
【図１】本開示の実施例に係る携帯端末の圧力検出方法のフローチャートである。
【図２】本開示の実施例に係る携帯端末の圧力検出方法における液晶ディスプレイの概略図である。
【図３】本開示の実施例に係る携帯端末の圧力検出方法における液晶層の概略図である。
【図４】本開示の実施例に係る携帯端末の圧力検出方法における別の液晶層の概略図である。
【図５】本開示の実施例に係る携帯端末の圧力検出方法における、複数の透明電極を横方向に平行に並べてなる透明電極の概略図である。
【図６】本開示の実施例に係る携帯端末の圧力検出方法における、複数の透明電極を縦方向に平行に並べてなる透明電極の概略図である。
【図７】本開示の実施例に係る携帯端末の圧力検出方法における、複数の透明電極を横方向及び縦方向にそれぞれ平行に並べてなる透明電極の概略図である。
【図８】本開示の実施例に係る携帯端末の圧力検出方法のフローチャートである。
【図９】本開示の実施例に係る携帯端末の圧力検出装置のブロック図である。
【図１０】本開示の実施例に係る携帯端末の圧力検出装置における検出モジュールのブロック図である。
【図１１】本開示の実施例に係る携帯端末の圧力検出装置における検出ユニットのブロック図である。
【図１２】本開示の実施例に係る携帯端末の圧力検出装置における演算ユニットのブロック図である。
【図１３】本開示の実施例に係る携帯端末（携帯端末の一般的な構造）における圧力検出装置のブロック図である。
【発明を実施するための形態】
【００２６】
本開示の上記目的、技術的解決手段、及び効果を実現するべく、本開示の実施例を詳細に説明する。
【００２７】
本開示の一実施例は、携帯端末の圧力検出方法を提供する。図１に示す如く、当該携帯端末は液晶ディスプレイを備え、当該液晶ディスプレイの液晶層に透明電極が設けられるものであって、本方法は以下の処理を含む。
【００２８】
ステップ１０１において、透明電極と液晶ディスプレイの液晶層中の支持アレイとの間の容量値を検出する。
【００２９】
ステップ１０２において、検出した容量値に応じ、操作体により液晶ディスプレイ上に加えられている圧力値を求める。
【００３０】
図２は本開示の実施例に係る携帯端末の圧力検出方法における液晶ディスプレイの概略図である。液晶ディスプレイ２００は、ＴＦＴ（Thin Film Transistor：薄膜トランジスタ）アレイガラス基板２０１と、カラーフィルタ２０２と、ＴＦＴアレイガラス基板２０１及びカラーフィルタ２０２の間に配置された液晶層２０３と、カラーフィルタ２０２の液晶層２０３の非隣接側に配置された上側偏光子２０４と、ＴＦＴアレイガラス基板２０１の液晶層２０３の非隣接側に配置された下側偏光子２０５と、を含む。
【００３１】
また、液晶層２０３は、支持アレイ２０３１及び透明電極２０３２を有する。当該支持アレイ２０３１及び透明電極２０３２は、それぞれ液晶層２０３のＴＦＴアレイガラス基板２０１に隣接する側及び液晶層２０３のカラーフィルタ２０２に隣接する側に設けられる。また、液晶は支持アレイ２０３１及び透明電極２０３２の間に充填される。
【００３２】
なお、本開示の実施例にあっては、液晶層２０３中の支持アレイ２０３１と透明電極２０３２の位置は限定されるものではない。支持アレイ２０３１は、液晶層２０３のＴＦＴアレイガラス基板２０１に隣接する側、又は液晶層２０３のカラーフィルタ２０２に隣接する側、のいずれか一方に設けることができる。したがって、透明電極２０３２は、液晶層２０３のＴＦＴアレイガラス基板２０１に隣接する側、又は液晶層２０３のカラーフィルタ２０２に隣接する側、の他方に設けることができる。
【００３３】
即ち、液晶層２０３の概略図である図３において、支持アレイ２０３１及び透明電極２０３２の配置は、
支持アレイ２０３１を液晶層２０３のＴＦＴアレイガラス基板２０１に隣接する側に設け、透明電極２０３２を液晶層２０３のカラーフィルタ２０２に隣接する側に設けても良い。
【００３４】
加えて、別の液晶層２０３の概略図である図４において、支持アレイ２０３１及び透明電極２０３２の配置は、
支持アレイ２０３１を液晶層２０３のカラーフィルタ２０２に隣接する側に設け、透明電極２０３２を液晶層２０３のＴＦＴアレイガラス基板２０１に隣接する側に設けても良い。
【００３５】
また、液晶ディスプレイ２００は、制御チップ２０６を備え、透明電極２０３２は当該制御チップ２０６と電気的に接続されている。制御チップ２０６は、例えばＭＣＵ（Micro Controller Unit）からなる。ＭＣＵは、透明電極により検出された電圧値信号をアナログ信号からデジタル信号に変換するＡ／Ｄコンバータを備えると共に、容量値を算出する。
【００３６】
本開示の実施例にあっては、透明電極２０３２は丸一枚で構成するものであっても良く、複数の透明電極からなるものであっても良い。
【００３７】
第１のケースでは、透明電極２０３２は丸一枚で構成されている。
【００３８】
支持アレイ２０３１及び透明電極２０３２は、液晶層２０３の中で直接接触してはおらず、支持アレイ２０３１と透明電極２０３２との間には所定の離間距離が置かれている。電源入力後、支持アレイ２０３１と透明電極２０３２との間にキャパシタが形成される。液晶ディスプレイ２００が操作体によって押圧されていない場合、支持アレイ２０３１と透明電極２０３２との間の距離は固定（ただし、誤差を除く。）されており、よって、電源入力後、支持アレイ２０３１と透明電極２０３２との間に形成されるキャパシタの容量値は相対的に固定される。このことから、液晶ディスプレイ２００が操作体によって押圧されていない状態における、支持アレイ２０３１と透明電極２０３２との間に形成されるキャパシタの容量値を予め検出し、この値を参照値として液晶ディスプレイ２００が操作体によって押圧されているか否かを判断することができる。
【００３９】
第２のケースでは、透明電極２０３２は複数の透明電極からなる。
【００４０】
なお、第２のケースにあっては、３つの配置パターンがある：
透明電極２０３２が、複数の透明電極を横方向に平行に並べてなる透明電極、
透明電極２０３２が、複数の透明電極を縦方向に平行に並べてなる透明電極、及び
透明電極２０３２が、複数の透明電極を横方向及び縦方向にそれぞれ平行に並べてなる透明電極、のいずれかであって、
横方向に平行に並べられた透明電極はそれぞれ所定の距離を空けて並べられていること、又は、縦方向に平行に並べられた透明電極はそれぞれ所定の距離を空けて並べられていること。
【００４１】
液晶層２０３に設けられた透明電極２０３２の各透明電極は、支持アレイ２０３１と直接接触しておらず、支持アレイ２０３１と透明電極２０３２の各透明電極との間には所定の離間距離が置かれている。電源入力後、支持アレイ２０３１と透明電極２０３２の各透明電極との間にキャパシタが形成される。なお、キャパシタの数は、透明電極２０３２の透明電極の数に対応している。液晶ディスプレイ２００が操作体によって押圧されていない場合、支持アレイ２０３１と透明電極２０３２の各透明電極との間の距離は固定（ただし、誤差を除く。）されており、よって、電源入力後における支持アレイ２０３１と透明電極２０３２の各透明電極との間に形成されるキャパシタの容量値は相対的に固定されている。このことから、液晶ディスプレイ２００が操作体によって押圧されていない状態における、支持アレイ２０３１と透明電極２０３２の透明電極との間に形成されるキャパシタの容量値を予め検出し、この各透明電極に対応した予め検出した値を参照値として液晶ディスプレイ２００が操作体によって押圧されているか否かを判断することができる。通常、支持アレイ２０３１と透明電極２０３２の各透明電極との距離は等しく、したがって、液晶ディスプレイ２００が操作体によって押圧されていない場合、支持アレイ２０３１と透明電極２０３２の各透明電極との間に生じる各キャパシタの容量値も同一になる。これにより、いずれかの透明電極の容量値を液晶ディスプレイ２００が操作体に押圧されていないときの容量値として利用することができる。
【００４２】
なお、本開示の実施例において、操作体は、指先や指関節部、ペン先に限定されるものではない。
【００４３】
図５は複数の透明電極を横方向に平行に並べてなる透明電極の概略図である。
【００４４】
図６は複数の透明電極を縦方向に平行に並べてなる透明電極の概略図である。
【００４５】
図７は複数の透明電極を横方向及び縦方向にそれぞれ平行に並べてなる透明電極の概略図である。
【００４６】
また、本開示の実施例にあっては、図２に示す如く、液晶ディスプレイ２００はバックライト２０７も備えても良い。
【００４７】
バックライト２０７は、下側偏光子２０５のＴＦＴアレイガラス基板２０１に隣接していない側に配置される。
【００４８】
なお、液晶ディスプレイ２００がＬＣＤ（Liquid Crystal Display）である場合、当該液晶ディスプレイ２００はバックライト２０７を有するが、液晶ディスプレイ２００がＯＬＥＤ（有機ＬＥＤ）である場合、当該液晶ディスプレイ２００はバックライトを有しない。
【００４９】
本開示の実施例にあっては、液晶ディスプレイ上に加わる圧力値を、透明電極と液晶ディスプレイの液晶層中の支持アレイとの間の容量値を検出することにより求めることができ、これにより、液晶ディスプレイのタッチセンサとは異なる３次元圧力検出を実現し、検出された圧力値に応じてさらなる機能を実現したり、ヒューマンコンピュータインタラクションを向上させたりすることができる。
【００５０】
本開示の別の実施例は、携帯端末の圧力検出方法を提供する。図８に示す如く、本実施例は携帯端末に適用されるものであって、当該携帯端末は液晶ディスプレイを備え、当該液晶ディスプレイの液晶層に透明電極が設けられる。また、本方法は以下の処理を含む。
【００５１】
ステップ８０１において、透明電極と液晶ディスプレイの液晶層中の支持アレイとの間の容量値を検出する。
【００５２】
制御チップは透明電極に対して検出指示を送る。透明電極は、受信した検出指示に従い透明電極と支持アレイとの間の電圧値を検出し、検出結果を制御チップに返送する。その後、制御チップは検出した電圧値に基づき容量値を算出する。このことから、ステップ７０１は以下のような処理によって実現できる。
【００５３】
ステップ８０１１において、透明電極の電圧値が検出される。
【００５４】
第１のケースにあっては、透明電極は丸一枚で構成されていても良い。電源入力後、支持アレイ及び透明電極の間にキャパシタが形成され、よって電圧値が１つだけ検出される。したがって、制御チップは、直接、透明電極に対して検出支持を１つだけ送信する。
【００５５】
第２のケースにあっては、透明電極は、複数の透明電極を縦方向及び／又は横方向に平行に並べてなる。電源入力後、透明電極層において支持アレイと各透明電極の間にキャパシタが形成される。したがって、キャパシタの数は透明電極の数に応じて定まり、検出される電圧値の数も同様に定まる。
【００５６】
センサ回路内には複数の透明電極が存在していることから、制御電極は、各透明電極をそれぞれ独立して制御する。本開示の実施例にあっては、以下の如く、２つの検出制御手段を有する。
【００５７】
即ち、ステップ８０１１における透明電極の電圧値を検出する手段には、以下の２つが存在する。
【００５８】
第１の手段では、各透明電極の電圧値を第１所定周期に応じて１つずつ検出する。
【００５９】
第２の手段では、各透明電極の電圧値を第２所定周期に応じて同時に検出する。
【００６０】
検出指示を同時に送信する構成の場合、制御チップは、各透明電極から戻ってきたデータを処理するために複数のＡ／Ｄコンバータを備える必要がある。
【００６１】
あるいは、透明電極が複数の透明電極を横方向及び縦方向にそれぞれ平行に並べてなる場合、各透明電極の行識別子又は列識別子を予め設定し、各透明電極の横方向及び縦方向の配置に応じて行及び列を設定するようにしても良い。液晶ディスプレイ中の各透明電極の位置は、当該行識別子又は列識別子に応じて予め定められる。
【００６２】
ステップ８０１２では、電圧値に基づいて透明電極と液晶ディスプレイの液晶層中の支持アレイとの間の容量値を算出する。
【００６３】
なお、容量値と電圧値の対応関係については予め定めることができ、検出された電圧値に対する対応関係から容量値を直接導き出すことができる。
【００６４】
第１の場合、ステップ８０１１では、
検出された容量値が１つだけである場合（即ち、透明電極が丸一枚で構成されている場合）、容量値と圧力値との対応関係から圧力値を直接導き出すことができ、これを液晶ディスプレイによって検出された圧力値とすることができる。
【００６５】
あるいは、液晶ディスプレイが操作体によって押圧されていない場合の容量値を予め求めておくことで、検出された容量値が、液晶ディスプレイが操作体によって押圧されていない場合の容量値から変化した場合に容量値に応じた圧力値を算出することができる。
【００６６】
第２の場合、ステップ８０１１では、
複数の容量値が検出された場合（即ち、透明電極が、複数の透明電極を横方向及び／又は縦方向にそれぞれ平行に並べてなる場合）、複数の容量値から１つ以上の容量値を選択し、選択された容量値に従って液晶ディスプレイにより検出される圧力値を求めることができる。
【００６７】
したがって、ステップ８０２は以下の処理によって実現することができる。
【００６８】
ステップ８０１２１では、各透明電極の電圧値に基づき各透明電極の容量値を算出する。
【００６９】
ステップ８０１２２では、算出された容量値のうちの最大値を、透明電極と液晶ディスプレイの液晶層中の支持アレイとの間の容量値として選択する。
【００７０】
また、ステップ８０１において、液晶ディスプレイ２００による透明電極の電圧値検出のための走査による干渉を避けるために、液晶ディスプレイ２００のブランキング期間中にステップ８０１を実行するものとしても良い。かかる場合、ステップ８０１は、
液晶ディスプレイのブランキング期間中に、透明電極と液晶ディスプレイの液晶層中の支持アレイとの間の容量値を検出する。
【００７１】
ステップ８０２では、予め定めた容量値と電圧値との対応関係に従い、検出された容量値に対応する圧力値を求め、よって求めた圧力値に基づいて液晶ディスプレイ上に加わえられた圧力値を求める。
【００７２】
なお、容量値と圧力値の対応関係は、予め記録されており、算出された電圧値に基づく対応関係から圧力値を直接導き出すことができる。
【００７３】
なお、操作体によって液晶ディスプレイ上に加えられている圧力値は、ステップ８０２の実行後に求めても良く、ステップ８０３の実行後の押圧位置を求める処理もステップ８０２と平行して実行しても良い。あるいは、ステップ８０２の後に実行しても良く、これらに限定されるものではない。
【００７４】
ステップ８０３では、液晶ディスプレイが操作体によって押圧されていないときと異なる容量値を有する透明電極が選択される。
【００７５】
本開示の実施例を実行する前に、液晶ディスプレイが操作体によって押圧されていないときの容量値を予め検出しておくことができる。透明電極が、複数の透明電極を縦方向及び横方向にそれぞれ平行に並べてなるものである場合、液晶ディスプレイが押圧されていないときの各透明電極の電圧値は同じになるため、いずれかの透明電極の検出電圧値を基準値として、液晶ディスプレイが押圧されていないときの容量値を算出することができる。
【００７６】
当該ステップにおいて、液晶ディスプレイが押圧されていないときと異なる容量値を有する透明電極を選択することで、液晶ディスプレイ上の押圧されている透明電極を選ぶことができる。
【００７７】
ステップ８０４では、選択された透明電極の行識別子と列識別子を取得する。
【００７８】
本開示の実施例を実行する前に、各透明電極の行識別子又は列識別子を予め設定することができる。この場合、制御チップが各透明電極に検出指示を送信すると、得られた検出結果には、電圧値だけでなく、各透明電極の行識別子又は列識別子が含まれる。
【００７９】
また、各透明電極の行識別子や列識別子に応じて液晶ディスプレイ上の位置校正を行い、液晶ディスプレイ内の各透明電極の水平座標や垂直座標を定めるようにしても良い。
【００８０】
ステップ８０５では、取得した行識別子及び列識別子に基づいて液晶ディスプレイ上の押圧位置を求める。
【００８１】
液晶ディスプレイが操作体によって押圧される場合、その押圧位置は当然横方向及び縦方向にそれぞれ平行に並べられた複数の透明電極と対応する。したがって、液晶ディスプレイ上の押圧位置に応じた各透明電極に関し、液晶ディスプレイの縦座標及び横座標を液晶ディスプレイ上の押圧位置に応じた各透明電極の行識別子及び列識別子に基づいて定める。そして、液晶ディスプレイ上の押圧位置を当該縦座標及び横座標に従って求める。
【００８２】
本開示の実施例にあっては、液晶ディスプレイ上の圧力値は、透明電極と液晶ディスプレイの液晶層中の支持アレイとの間の容量値を検出することによって求められる。これにより、液晶ディスプレイのタッチセンサとは異なる３次元圧力検出を実現し、検出された圧力値に応じてさらなる機能を実現したり、ヒューマンコンピュータインタラクションを向上させたりすることができる。
【００８３】
上記実施例で提供される携帯端末の圧力検出方法に関し、本開示の別の実施例は、携帯端末の圧力検出装置を提供する。ここで、当該携帯端末は液晶ディスプレイを有し、前記液晶ディスプレイの液晶層中に透明電極が配置される。図９に示すように、本装置は検出モジュール９０１及び第１判断モジュール９０２を備える。
【００８４】
検出モジュール９０１は、透明電極と液晶ディスプレイの液晶層中の支持アレイとの間の容量値を検出するように構成される。
【００８５】
第１判断モジュール９０２は、検出された容量値に基づき、操作体によって液晶ディスプレイ上に加えられている圧力値を求めるように構成される。
【００８６】
図１０に示す如く、検出モジュール９０１は検出ユニット９０１１と演算ユニット９０１２を備える。
【００８７】
検出ユニット９０１１は、透明電極の電圧値を検出するように構成される。
【００８８】
演算ユニット９０１２は、電圧値に基づき、透明電極と液晶ディスプレイの液晶層中の支持アレイとの間の容量値を算出するように構成される。
【００８９】
透明電極は、図１１に示すように、縦方向及び横方向にそれぞれ平行に並べられた複数の透明電極からなり、検出ユニット９０１１は第１検出サブユニット９０１１１を有する。
【００９０】
第１検出サブユニット９０１１１は、第１所定周期に従って各透明電極の電圧値を１つずつ検出するように構成される。
【００９１】
透明電極は、図１１に示すように、縦方向及び横方向にそれぞれ平行に並べられた複数の透明電極からなり、検出ユニット９０１１は第２検出サブユニット９０１１２を有する。
【００９２】
第２検出サブユニット９０１１２は、第２所定周期に従って各透明電極の電圧値を同時に検出するように構成される。
【００９３】
また、図１２に示す如く、演算ユニット９０１２は演算サブユニット９０１２１及び選択サブユニット９０１２２を有する。
【００９４】
演算サブユニット９０１２１は、各透明電極の電圧値に基づき各透明電極の容量値を算出するように構成される。
【００９５】
選択サブユニット９０１２２は、算出された容量値のうちの最大値を、透明電極と液晶ディスプレイの液晶層中の支持アレイとの間の容量値として選択するように構成される。
【００９６】
図９に示す如く、本装置はさらに、選択モジュール９０３と、取得モジュール９０４と、第２判断モジュール９０５とを備える。
【００９７】
選択モジュール９０３は、液晶ディスプレイが操作体によって押圧されていない場合に検出される値と異なる容量値を有する透明電極を選択するように構成される。
【００９８】
取得モジュール９０４は、選択された透明電極の行識別子及び列識別子を取得するように構成される。
【００９９】
第２判断モジュール９０５は、取得された行識別子及び列識別子に基づき、液晶ディスプレイ上の押圧位置を判断するように構成される。
【０１００】
第１判断モジュール９０２は、予め定められた容量値と圧力値との関係に基づき、検出された容量値から圧力値を取得し、取得された圧力値に基づいて液晶ディスプレイ上に加えられている圧力値を求めるように構成される。
【０１０１】
検出モジュール９０１は、液晶ディスプレイのブランキング期間中に、透明電極と液晶ディスプレイの液晶層中の支持アレイとの間の容量値を検出するように構成される。
【０１０２】
本開示の実施例にあっては、液晶ディスプレイ上の圧力値を、透明電極と当該液晶ディスプレイの液晶層中の支持アレイとの間の容量値を検出することによって求める。これにより、液晶ディスプレイのタッチセンサとは異なる３次元圧力検出を実現し、検出された圧力値に応じてさらなる機能を実現したり、ヒューマンコンピュータインタラクションを向上させたりすることができる。
【０１０３】
上記実施例で提供される携帯端末の圧力検出装置に関し、本開示の別の実施例は、図１３に示す如く、端末１３００を提供する。端末１３００は、例えば携帯電話、コンピュータ、デジタル放送端末、メッセージ機器、ゲーム操作器、タブレット機器、フィットネス機器、携帯情報端末ＰＤＡである。
【０１０４】
図１３に示す如く、端末１３００は、以下の１つ以上を有する：
処理部１３０２、メモリ１３０４、電源部１３０６、マルチメディア部１３０８、オーディオ部１３１０、入出力（Ｉ／Ｏ）インターフェース１３１２、センサ部１３１４、通信部１３１６。
【０１０５】
処理部１３０２は、ディスプレイ、通話、データ通信に関する動作、カメラ動作、録音動作、といった端末１３００の全体的な動作を制御する。処理部１３０２は、上記した方法の一部又は全てを行う指示を実行するために１つ以上のプロセッサ１３２０を有している。さらに、処理部１３０２は、処理部と他の構成部品との間のやりとりを容易にするために１つ以上のモジュールを有している。例えば、処理部１３０２は、マルチメディア部１３０８と処理部１３０２との間のやりとりを容易にするためにマルチメディアモジュールを有する。
【０１０６】
メモリ１３０４は、端末１３００の動作をサポートする種々のデータを格納するように構成される。そのようなデータの例としては、端末１３００で実行されるアプリケーションや方法の指示や、連絡先、電話帳データ、メッセージ、写真、動画等が含まれる。メモリ１３０４は、Static Random Access Memory（ＳＲＡＭ）、Electrically Erasable Programmable Read-Only Memory（ＥＥＰＲＯＭ）、Erasable Programmable Read-Only Memory（ＥＰＲＯＭ）、Programmable Read-Only Memory（ＰＲＯＭ）、Read-Only Memory（ＲＯＭ）、磁器メモリ、フラッシュメモリ、磁気又は光ディスク、といった、揮発性若しくは不揮発性記録装置、又はその組み合わせを利用することができる。
【０１０７】
電源部１３０６は、端末１３００の様々な構成部品に電力を供給する。電源部１３０６は、電力管理システムと、１つ以上の電源と、端末１３００の発電・管理・電力分配に関わるその他の構成部品とを備える。
【０１０８】
マルチメディア部１３０８は、端末１３００とユーザの間の出力インターフェースを提供するスクリーンを有する。ある実施例にあっては、当該スクリーンは液晶ディスプレイ（ＬＣＤ）やタッチパネル（ＴＰ）であっても良い。スクリーンがタッチパネルである場合には、スクリーンはユーザからの入力信号を受信するタッチスクリーンとして機能し得る。当該タッチパネルには、タッチ、スワイプ、及びその他タッチパネル上の動きを感知する１つ以上のタッチセンサが組み込まれる。また、当該タッチセンサは、タッチやスワイプ動作の境界を感知するだけでなく、タッチやスワイプ動作に関する時間及び圧力を検出するものであっても良い。ある実施例では、マルチメディア部１３０８はフロントカメラ及び／又はリアカメラを備える。フロントカメラ及びリアカメラは、端末１３００が、撮像モードや動画モードといったオペレーションモードにあるときに、外部のマルチメディアデータを受信するものであっても良い。フロントカメラ及びリアカメラは、それぞれ固定型光学レンズ系であっても良く、フォーカス・光学ズーム機能を有するものであっても良い。
【０１０９】
オーディオ部１３１０は、オーディオ信号を入力及び／又は出力するように構成される。例えば、オーディオ部１３１０は、インテリジェント端末１３００が、通話モード、録音モード、音声録音モードといったオペレーションモードにあるときに、外部のオーディオ信号を受信するように構成されたマイクロフォン（ＭＩＣ）を有する。受信したオーディオ信号は、メモリ１３０４に格納したり、通信部１３１６を介して送信したりできる。ある実施例では、オーディオ部１３１０はさらに、オーディオ信号を出力するスピーカを備える。
【０１１０】
Ｉ／Ｏインターフェース１３１２は、処理部１３０２、及び、キーボード、クリックホイール、ボタンといった周辺のインターフェースモジュールに対するインターフェースを提供する。ここで、ボタンとは、ホームボタン、音声ボタン、起動ボタン、ロックボタンを含むものとするが、これらに限られるものではない。
【０１１１】
センサ部１３１４は、端末１３００を種々の観点から状態評価するための１つ以上のセンサを有する。例えば、センサ部１３１４は端末１３００の開閉状態や各部（例えば、端末１３００のディスプレイやキーパッド）の相対位置を検出しても良い。また、センサ部１３１４は、端末１３００の位置や端末１３００の部品の変化、ユーザと端末との接触の有無、端末１３００の方向や加減速、及び端末１３００の温度変化、を検出しても良い。センサ部１３１４は、物理的な接触はなくとも近くの物体を検出するように構成された近接センサを備えるものであっても良い。さらにセンサ部１３１４は、画像処理に用いるＣＯＭＳやＣＣＤ画像センサといった光センサを備えるものであっても良い。ある実施例にあっては、センサ部１３１４は加速センサ、ジャイロセンサ、磁気センサ、圧力センサ、又は温度センサを備えるものであっても良い。
【０１１２】
通信部１３１６は、端末１３００と他の機器との間の有線又は無線通信を容易にするように構成される。端末１３００は、ＷｉＦｉ，２Ｇ，３Ｇ、又はこれらの組み合わせからなる通信基準に基づく無線ネットワークにアクセスすることができる。一実施例では、通信部１３１６は、外部の放送管理システムから放送チャンネルを介して放送信号や放送に関連する情報を受信する。一実施例では、通信部１３１６は、短距離通信を容易にする近距離通信（ＮＦＣ）モジュールを備える。例えば、当該ＮＦＣモジュールは、Radio Frequency Identification（ＲＦＩＤ）技術、Infrared Data Association（ＩｒＤＡ）技術、Ultra-Wideband（ＵＷＢ）技術、Bluetooth（ＢＴ）（登録商標）技術、その他の技術に基づいて処理を実行する。
【０１１３】
実施例では、上記した方法を実行するべく、端末１３００は、１つ以上のApplication Specific Integrated Circuits（ＡＳＩＣｓ）、Digital Signal Processors（ＤＳＰｓ）、Digital Signal Processing Devices（ＤＳＰＤｓ）、Programmable Logic Devices（ＰＬＤｓ）、Field Programmable Gate Arrays（ＦＰＧＡｓ）、コントローラ、マイクロコントローラ、マイクロプロセッサ、又はその他の電気的部品を用いて処理を実行することができる。
【０１１４】
また、本実施例では、指示を記憶するメモリ１３０４のような、指示を記憶する非一時的なコンピュータで読取可能な記録媒体を提供する。当該指示は、端末１３００のプロセッサ１３２０によって上述した方法を処理するために実行される。当該非一時的なコンピュータで読取可能な記録媒体は、例えば、ROM、RAM、CD-ROM、磁気テープ、フロッピーディスク、光データ記録装置などであっても良い。
【０１１５】
当該非一時的なコンピュータで読取可能な記録媒体は、携帯端末のプロセッサによって実行されるとき、当該携帯端末に携帯端末の圧力検出方法を実施させるための指示を記録している。なお、当該携帯端末は、液晶ディスプレイ、液晶ディスプレイの液晶層に配置された透明電極を備え、前記方法は、
透明電極と液晶ディスプレイの液晶層中の支持アレイとの間の容量値を検出し、
前記検出した容量値に基づき操作体によって液晶ディスプレイ上に加えられている圧力値を求めるものである。
【０１１６】
本開示の実施例では、液晶ディスプレイ上の圧力値は、透明電極と液晶ディスプレイの液晶層中の支持アレイとの間の容量値を検出することにより求めることができ、これにより、液晶ディスプレイのタッチセンサとは異なる３次元圧力検出を実現し、検出された圧力値に応じてさらなる機能を実現したり、ヒューマンコンピュータインタラクションを向上させたりすることができる。
【０１１７】
当業者であれば、上記明細書及び開示される本発明のプラクティスを考慮すれば、本発明の他の実施例も明らかであろう。本願は、本発明の要旨に従う範囲において、あらゆるバリエーション、用途、又は改造を包含するものであって、当該技術分野における周知慣用技術の範囲において、本開示に記載されていないものも包含するものである。また、本明細書及び上記例は、例示に過ぎず、本発明の権利範囲及び意図は、添付の特許請求の範囲によって示されるとおりである。
【０１１８】
本開示は、上述され、かつ、添付の図面において例示されてきた構造に限定されるものではなく、本開示の範囲から逸脱しない範囲において、さまざまな修正および変更を行うことが可能である。本開示の範囲は、添付の特許請求の範囲によってのみ限定されるものである。
【図１】
2017527862.tif 000003
【図２】
2017527862.tif 000004
【図３】
2017527862.tif 000005
【図４】
2017527862.tif 000006
【図５】
2017527862.tif 000007
【図６】
2017527862.tif 000008
【図７】
2017527862.tif 000009
【図８】
2017527862.tif 000010
【図９】
2017527862.tif 000011
【図１０】
2017527862.tif 000012
【図１１】
2017527862.tif 000013
【図１２】
2017527862.tif 000014
【図１３】
2017527862.tif 000015
【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
携帯端末の圧力検出方法であって、前記携帯端末は液晶ディスプレイと、前記液晶ディスプレイの液晶層に配置された透明電極とを有し、前記方法は、
前記透明電極と前記液晶ディスプレイの前記液晶層中の支持アレイとの間の容量値を検出する処理と、
前記検出した容量値に基づき、操作体により前記液晶ディスプレイ上に加えられている圧力値を求める処理と、を含むことを特徴とする。
【請求項２】
前記した、前記透明電極と前記液晶ディスプレイの前記液晶層中の支持アレイとの間の容量値を検出する処理は、
前記透明電極の電圧値を検出する処理と、
前記電圧値に基づいて前記透明電極と前記液晶ディスプレイの前記液晶層中の支持アレイとの間の容量値を算出する処理と、を含むことを特徴とする請求項１に記載の方法。
【請求項３】
前記透明電極が、複数の透明電極片を縦方向及び／又は横方向に平行に並べてなり、
前記した、前記透明電極の電圧値を検出する処理は、
各透明電極片の前記電圧値を第１所定周期に応じて１つずつ検出する処理を含むことを特徴とする請求項２に記載の方法。
【請求項４】
前記透明電極が、複数の透明電極片を縦方向及び／又は横方向に平行に並べてなり、
前記した、前記透明電極の電圧値を検出する処理は、
各透明電極片の前記電圧値を第２所定周期に応じて同時に検出する処理を含むことを特徴とする請求項２に記載の方法。
【請求項５】
前記した、前記電圧値に基づいて前記透明電極と前記液晶ディスプレイの前記液晶層中の支持アレイとの間の容量値を算出する処理は、
各透明電極片の前記電圧値に基づき、各透明電極片の容量値を算出する処理と、
前記算出された容量値のうちの最大値を、前記透明電極と前記液晶ディスプレイの前記液晶層中の支持アレイとの間の容量値として選択する処理と、を含むことを特徴とする請求項３又は４に記載の方法。
【請求項６】
各透明電極片の容量値を算出後、前記方法はさらに、
前記液晶ディスプレイが前記操作体によって押圧されていないときと異なる容量値を有する透明電極片を選択する処理と、
前記選択された透明電極片の行識別子及び列識別子を取得する処理と、
前記取得した行識別子及び列識別子に基づいて前記液晶ディスプレイ上の押圧位置を求める処理と、を含むことを特徴とする請求項５に記載の方法。
【請求項７】
前記した、前記液晶ディスプレイ上に加えられている圧力値を求める処理は、
予め定めた前記容量値と前記電圧値との対応関係に従い、前記検出された容量値に対応する圧力値を取得すると共に、前記取得された圧力値に基づいて前記液晶ディスプレイ上に加えられている前記圧力値を求める処理、を含むことを特徴とする請求項１から６のいずれか１項に記載の方法。
【請求項８】
前記した、前記透明電極と前記液晶ディスプレイの前記液晶層中の支持アレイとの間の容量値を検出する処理は、
前記液晶ディスプレイのブランキング期間中に、前記透明電極と前記液晶ディスプレイの前記液晶層中の支持アレイとの間の前記容量値を検出する処理を含むことを特徴とする請求項１から７のいずれか１項に記載の方法。
【請求項９】
携帯端末の圧力検出装置であって、前記携帯端末は液晶ディスプレイと、前記液晶ディスプレイの液晶層に配置された透明電極とを有し、前記装置は、
前記透明電極と前記液晶ディスプレイの前記液晶層中の支持アレイとの間の容量値を検出するように構成された検出モジュールと、
前記検出した容量値に基づき、操作体により前記液晶ディスプレイ上に加えられている圧力値を求めるように構成された第１判断モジュールと、を備えることを特徴とする。
【請求項１０】
前記検出モジュールが、
前記透明電極の電圧値を検出するように構成された検出ユニットと、
前記電圧値に基づいて前記透明電極と前記液晶ディスプレイの前記液晶層中の支持アレイとの間の容量値を算出するように構成された演算ユニットと、を備えることを特徴とする請求項９に記載の装置。
【請求項１１】
前記透明電極が、複数の透明電極片を縦方向及び／又は横方向に平行に並べてなり、
前記検出ユニットが、
各透明電極片の電圧値を第１所定周期に応じて１つずつ検出するように構成された第１検出サブユニットを備えることを特徴とする請求項１０に記載の装置。
【請求項１２】
前記透明電極が、複数の透明電極片を縦方向及び／又は横方向に平行に並べてなり、
前記検出ユニットが、
各透明電極片の電圧値を第２所定周期に応じて同時に検出するように構成された第２検出サブユニットを備えることを特徴とする請求項１０に記載の装置。
【請求項１３】
前記演算ユニットが、
各透明電極片の前記電圧値に基づき、各透明電極片の容量値を算出するように構成された演算サブユニットと、
前記算出された容量値のうちの最大値を、前記透明電極と前記液晶ディスプレイの前記液晶層中の支持アレイとの間の容量値として選択するように構成された選択サブユニットと、を備えることを特徴とする請求項１１又は１２に記載の装置。
【請求項１４】
さらに、前記液晶ディスプレイが前記操作体によって押圧されていないときと異なる容量値を有する透明電極片を選択するように構成された選択モジュールと、
前記選択された透明電極片の行識別子及び列識別子を取得するように構成された取得モジュールと、
前記取得した行識別子及び列識別子に基づいて前記液晶ディスプレイ上の押圧位置を求めるように構成された第２判断モジュールと、を備えることを特徴とする請求項１３に記載の装置。
【請求項１５】
前記第１判断モジュールが、予め定めた前記容量値と前記電圧値との対応関係に従い、前記検出された容量値に対応する圧力値を取得すると共に、前記取得された圧力値に基づいて前記液晶ディスプレイ上に加えられている前記圧力値を求めるように構成されてなることを特徴とする請求項９から１４のいずれか１項に記載の装置。
【請求項１６】
前記検出モジュールが、
前記液晶ディスプレイのブランキング期間中に、前記透明電極と前記液晶ディスプレイの前記液晶層中の支持アレイとの間の前記容量値を検出するように構成されてなることを特徴とする請求項９から１５のいずれか１項に記載の装置。
【請求項１７】
コンピュータの実行時、請求項１から８のいずれか１項に記載の携帯端末の圧力検出方法を前記コンピュータに実行させるためのコンピュータプログラム。
【請求項１８】
請求項１７に記載のコンピュータプログラムを格納したコンピュータで読取可能な記録媒体。
【手続補正２】
【補正対象書類名】明細書
【補正対象項目名】０００７
【補正方法】変更
【補正の内容】
【０００７】
また、前記透明電極が、複数の透明電極片を縦方向及び／又は横方向に平行に並べてなり、
前記した、前記透明電極の電圧値を検出する処理は、
各透明電極片の前記電圧値を第１所定周期に応じて１つずつ検出する処理を含む。
【手続補正３】
【補正対象書類名】明細書
【補正対象項目名】０００８
【補正方法】変更
【補正の内容】
【０００８】
また、前記透明電極が、複数の透明電極片を縦方向及び／又は横方向に平行に並べてなり、
前記した、前記透明電極の電圧値を検出する処理は、
各透明電極片の前記電圧値を第２所定周期に応じて同時に検出する処理を含む。
【手続補正４】
【補正対象書類名】明細書
【補正対象項目名】０００９
【補正方法】変更
【補正の内容】
【０００９】
また、前記した、前記電圧値に基づいて前記透明電極と前記液晶ディスプレイの前記液晶層中の支持アレイとの間の容量値を算出する処理は、
各透明電極片の前記電圧値に基づき、各透明電極片の容量値を算出する処理と、
前記算出された容量値のうちの最大値を、前記透明電極と前記液晶ディスプレイの前記液晶層中の支持アレイとの間の容量値として選択する処理と、を含む。
【手続補正５】
【補正対象書類名】明細書
【補正対象項目名】００１０
【補正方法】変更
【補正の内容】
【００１０】
また、各透明電極片の容量値を算出後、前記方法はさらに、
前記液晶ディスプレイが前記操作体によって押圧されていないときと異なる容量値を有する透明電極片を選択する処理と、
前記選択された透明電極片の行識別子及び列識別子を取得する処理と、
前記取得した行識別子及び列識別子に基づいて前記液晶ディスプレイ上の押圧位置を求める処理と、を含む。
【手続補正６】
【補正対象書類名】明細書
【補正対象項目名】００１５
【補正方法】変更
【補正の内容】
【００１５】
また、前記透明電極が、複数の透明電極片を縦方向及び／又は横方向に平行に並べてなり、
前記検出ユニットは、
各透明電極片の電圧値を第１所定周期に応じて１つずつ検出するように構成された第１検出サブユニットを備える。
【手続補正７】
【補正対象書類名】明細書
【補正対象項目名】００１６
【補正方法】変更
【補正の内容】
【００１６】
また、前記透明電極が、複数の透明電極片を縦方向及び／又は横方向に平行に並べてなり、
前記検出ユニットは、
各透明電極片の電圧値を第２所定周期に応じて同時に検出するように構成された第２検出サブユニットを備える。
【手続補正８】
【補正対象書類名】明細書
【補正対象項目名】００１７
【補正方法】変更
【補正の内容】
【００１７】
また、前記演算ユニットが、
各透明電極片の前記電圧値に基づき、各透明電極片の容量値を算出するように構成された演算サブユニットと、
前記算出された容量値のうちの最大値を、前記透明電極と前記液晶ディスプレイの前記液晶層中の支持アレイとの間の容量値として選択するように構成された選択サブユニットと、を備える。
【手続補正９】
【補正対象書類名】明細書
【補正対象項目名】００１８
【補正方法】変更
【補正の内容】
【００１８】
さらに、前記液晶ディスプレイが前記操作体によって押圧されていないときと異なる容量値を有する透明電極片を選択するように構成された選択モジュールと、
前記選択された透明電極片の行識別子及び列識別子を取得するように構成された取得モジュールと、
前記取得した行識別子及び列識別子に基づいて前記液晶ディスプレイ上の押圧位置を求めるように構成された第２判断モジュールと、を備える。
【手続補正１０】
【補正対象書類名】明細書
【補正対象項目名】００２５
【補正方法】変更
【補正の内容】
【００２５】
【図１】本開示の実施例に係る携帯端末の圧力検出方法のフローチャートである。
【図２】本開示の実施例に係る携帯端末の圧力検出方法における液晶ディスプレイの概略図である。
【図３】本開示の実施例に係る携帯端末の圧力検出方法における液晶層の概略図である。
【図４】本開示の実施例に係る携帯端末の圧力検出方法における別の液晶層の概略図である。
【図５】本開示の実施例に係る携帯端末の圧力検出方法における、複数の透明電極片を横方向に平行に並べてなる透明電極の概略図である。
【図６】本開示の実施例に係る携帯端末の圧力検出方法における、複数の透明電極片を縦方向に平行に並べてなる透明電極の概略図である。
【図７】本開示の実施例に係る携帯端末の圧力検出方法における、複数の透明電極片を横方向及び縦方向にそれぞれ平行に並べてなる透明電極の概略図である。
【図８】本開示の実施例に係る携帯端末の圧力検出方法のフローチャートである。
【図９】本開示の実施例に係る携帯端末の圧力検出装置のブロック図である。
【図１０】本開示の実施例に係る携帯端末の圧力検出装置における検出モジュールのブロック図である。
【図１１】本開示の実施例に係る携帯端末の圧力検出装置における検出ユニットのブロック図である。
【図１２】本開示の実施例に係る携帯端末の圧力検出装置における演算ユニットのブロック図である。
【図１３】本開示の実施例に係る携帯端末（携帯端末の一般的な構造）における圧力検出装置のブロック図である。
【手続補正１１】
【補正対象書類名】明細書
【補正対象項目名】００３６
【補正方法】変更
【補正の内容】
【００３６】
本開示の実施例にあっては、透明電極２０３２は全表面が透明電極を構成するものであっても良く、複数の透明電極片からなるものであっても良い。
【手続補正１２】
【補正対象書類名】明細書
【補正対象項目名】００３９
【補正方法】変更
【補正の内容】
【００３９】
第２のケースでは、透明電極２０３２は複数の透明電極片からなる。
【手続補正１３】
【補正対象書類名】明細書
【補正対象項目名】００４０
【補正方法】変更
【補正の内容】
【００４０】
なお、第２のケースにあっては、３つの配置パターンがある：
透明電極２０３２が、複数の透明電極片を横方向に平行に並べてなる透明電極、
透明電極２０３２が、複数の透明電極片を縦方向に平行に並べてなる透明電極、及び
透明電極２０３２が、複数の透明電極片を横方向及び縦方向にそれぞれ平行に並べてなる透明電極、のいずれかであって、
横方向に平行に並べられた透明電極はそれぞれ所定の距離を空けて並べられていること、又は、縦方向に平行に並べられた透明電極はそれぞれ所定の距離を空けて並べられていること。
【手続補正１４】
【補正対象書類名】明細書
【補正対象項目名】００４１
【補正方法】変更
【補正の内容】
【００４１】
液晶層２０３に設けられた透明電極２０３２の各透明電極片は、支持アレイ２０３１と直接接触しておらず、支持アレイ２０３１と透明電極２０３２の各透明電極片との間には所定の離間距離が置かれている。電源入力後、支持アレイ２０３１と透明電極２０３２の各透明電極片との間にキャパシタが形成される。なお、キャパシタの数は、透明電極２０３２の透明電極片の数に対応している。液晶ディスプレイ２００が操作体によって押圧されていない場合、支持アレイ２０３１と透明電極２０３２の各透明電極片との間の距離は固定（ただし、誤差を除く。）されており、よって、電源入力後における支持アレイ２０３１と透明電極２０３２の各透明電極片との間に形成されるキャパシタの容量値は相対的に固定されている。このことから、液晶ディスプレイ２００が操作体によって押圧されていない状態における、支持アレイ２０３１と透明電極２０３２の透明電極片との間に形成されるキャパシタの容量値を予め検出し、この各透明電極片に対応した予め検出した値を参照値として液晶ディスプレイ２００が操作体によって押圧されているか否かを判断することができる。通常、支持アレイ２０３１と透明電極２０３２の各透明電極片との距離は等しく、したがって、液晶ディスプレイ２００が操作体によって押圧されていない場合、支持アレイ２０３１と透明電極２０３２の各透明電極片との間に生じる各キャパシタの容量値も同一になる。これにより、いずれかの透明電極の容量値を液晶ディスプレイ２００が操作体に押圧されていないときの容量値として利用することができる。
【手続補正１５】
【補正対象書類名】明細書
【補正対象項目名】００４３
【補正方法】変更
【補正の内容】
【００４３】
図５は複数の透明電極片を横方向に平行に並べてなる透明電極の概略図である。
【手続補正１６】
【補正対象書類名】明細書
【補正対象項目名】００４４
【補正方法】変更
【補正の内容】
【００４４】
図６は複数の透明電極片を縦方向に平行に並べてなる透明電極の概略図である。
【手続補正１７】
【補正対象書類名】明細書
【補正対象項目名】００４５
【補正方法】変更
【補正の内容】
【００４５】
図７は複数の透明電極片を横方向及び縦方向にそれぞれ平行に並べてなる透明電極の概略図である。
【手続補正１８】
【補正対象書類名】明細書
【補正対象項目名】００５２
【補正方法】変更
【補正の内容】
【００５２】
制御チップは透明電極に対して検出指示を送る。透明電極は、受信した検出指示に従い透明電極と支持アレイとの間の電圧値を検出し、検出結果を制御チップに返送する。その後、制御チップは検出した電圧値に基づき容量値を算出する。このことから、ステップ８０１は以下のような処理によって実現できる。
【手続補正１９】
【補正対象書類名】明細書
【補正対象項目名】００５５
【補正方法】変更
【補正の内容】
【００５５】
第２のケースにあっては、透明電極は、複数の透明電極片を縦方向及び／又は横方向に平行に並べてなる。電源入力後、透明電極層において支持アレイと各透明電極片の間にキャパシタが形成される。したがって、キャパシタの数は透明電極片の数に応じて定まり、検出される電圧値の数も同様に定まる。
【手続補正２０】
【補正対象書類名】明細書
【補正対象項目名】００５６
【補正方法】変更
【補正の内容】
【００５６】
センサ回路内には複数の透明電極片が存在していることから、制御電極は、各透明電極片をそれぞれ独立して制御する。本開示の実施例にあっては、以下の如く、２つの検出制御手段を有する。
【手続補正２１】
【補正対象書類名】明細書
【補正対象項目名】００５８
【補正方法】変更
【補正の内容】
【００５８】
第１の手段では、各透明電極片の電圧値を第１所定周期に応じて１つずつ検出する。
【手続補正２２】
【補正対象書類名】明細書
【補正対象項目名】００５９
【補正方法】変更
【補正の内容】
【００５９】
第２の手段では、各透明電極片の電圧値を第２所定周期に応じて同時に検出する。
【手続補正２３】
【補正対象書類名】明細書
【補正対象項目名】００６０
【補正方法】変更
【補正の内容】
【００６０】
検出指示を同時に送信する構成の場合、制御チップは、各透明電極片から戻ってきたデータを処理するために複数のＡ／Ｄコンバータを備える必要がある。
【手続補正２４】
【補正対象書類名】明細書
【補正対象項目名】００６１
【補正方法】変更
【補正の内容】
【００６１】
あるいは、透明電極が複数の透明電極片を横方向及び縦方向にそれぞれ平行に並べてなる場合、各透明電極片の行識別子又は列識別子を予め設定し、各透明電極片の横方向及び縦方向の配置に応じて行及び列を設定するようにしても良い。液晶ディスプレイ中の各透明電極片の位置は、当該行識別子又は列識別子に応じて予め定められる。
【手続補正２５】
【補正対象書類名】明細書
【補正対象項目名】００６６
【補正方法】変更
【補正の内容】
【００６６】
第２の場合、ステップ８０１１では、
複数の容量値が検出された場合（即ち、透明電極が、複数の透明電極片を横方向及び／又は縦方向にそれぞれ平行に並べてなる場合）、複数の容量値から１つ以上の容量値を選択し、選択された容量値に従って液晶ディスプレイにより検出される圧力値を求めることができる。
【手続補正２６】
【補正対象書類名】明細書
【補正対象項目名】００６７
【補正方法】変更
【補正の内容】
【００６７】
したがって、ステップ８０１２は以下の処理によって実現することができる。
【手続補正２７】
【補正対象書類名】明細書
【補正対象項目名】００６８
【補正方法】変更
【補正の内容】
【００６８】
ステップ８０１２１では、各透明電極片の電圧値に基づき各透明電極片の容量値を算出する。
【手続補正２８】
【補正対象書類名】明細書
【補正対象項目名】００７４
【補正方法】変更
【補正の内容】
【００７４】
ステップ８０３では、液晶ディスプレイが操作体によって押圧されていないときと異なる容量値を有する透明電極片が選択される。
【手続補正２９】
【補正対象書類名】明細書
【補正対象項目名】００７５
【補正方法】変更
【補正の内容】
【００７５】
本開示の実施例を実行する前に、液晶ディスプレイが操作体によって押圧されていないときの容量値を予め検出しておくことができる。透明電極が、複数の透明電極片を縦方向及び横方向にそれぞれ平行に並べてなるものである場合、液晶ディスプレイが押圧されていないときの各透明電極片の電圧値は同じになるため、いずれかの透明電極片の検出電圧値を基準値として、液晶ディスプレイが押圧されていないときの容量値を算出することができる。
【手続補正３０】
【補正対象書類名】明細書
【補正対象項目名】００７６
【補正方法】変更
【補正の内容】
【００７６】
当該ステップにおいて、液晶ディスプレイが押圧されていないときと異なる容量値を有する透明電極片を選択することで、液晶ディスプレイ上の押圧されている透明電極片を選ぶことができる。
【手続補正３１】
【補正対象書類名】明細書
【補正対象項目名】００７７
【補正方法】変更
【補正の内容】
【００７７】
ステップ８０４では、選択された透明電極片の行識別子と列識別子を取得する。
【手続補正３２】
【補正対象書類名】明細書
【補正対象項目名】００７８
【補正方法】変更
【補正の内容】
【００７８】
本開示の実施例を実行する前に、各透明電極片の行識別子又は列識別子を予め設定することができる。この場合、制御チップが各透明電極片に検出指示を送信すると、得られた検出結果には、電圧値だけでなく、各透明電極片の行識別子又は列識別子が含まれる。
【手続補正３３】
【補正対象書類名】明細書
【補正対象項目名】００７９
【補正方法】変更
【補正の内容】
【００７９】
また、各透明電極片の行識別子や列識別子に応じて液晶ディスプレイ上の位置校正を行い、液晶ディスプレイ内の各透明電極片の水平座標や垂直座標を定めるようにしても良い。
【手続補正３４】
【補正対象書類名】明細書
【補正対象項目名】００８１
【補正方法】変更
【補正の内容】
【００８１】
液晶ディスプレイが操作体によって押圧される場合、その押圧位置は当然横方向及び縦方向にそれぞれ平行に並べられた複数の透明電極片と対応する。したがって、液晶ディスプレイ上の押圧位置に応じた各透明電極片に関し、液晶ディスプレイの縦座標及び横座標を液晶ディスプレイ上の押圧位置に応じた各透明電極片の行識別子及び列識別子に基づいて定める。そして、液晶ディスプレイ上の押圧位置を当該縦座標及び横座標に従って求める。
【手続補正３５】
【補正対象書類名】明細書
【補正対象項目名】００８９
【補正方法】変更
【補正の内容】
【００８９】
透明電極は、図１１に示すように、縦方向及び横方向にそれぞれ平行に並べられた複数の透明電極片からなり、検出ユニット９０１１は第１検出サブユニット９０１１１を有する。
【手続補正３６】
【補正対象書類名】明細書
【補正対象項目名】００９０
【補正方法】変更
【補正の内容】
【００９０】
第１検出サブユニット９０１１１は、第１所定周期に従って各透明電極片の電圧値を１つずつ検出するように構成される。
【手続補正３７】
【補正対象書類名】明細書
【補正対象項目名】００９１
【補正方法】変更
【補正の内容】
【００９１】
透明電極は、図１１に示すように、縦方向及び横方向にそれぞれ平行に並べられた複数の透明電極片からなり、検出ユニット９０１１は第２検出サブユニット９０１１２を有する。
【手続補正３８】
【補正対象書類名】明細書
【補正対象項目名】００９２
【補正方法】変更
【補正の内容】
【００９２】
第２検出サブユニット９０１１２は、第２所定周期に従って各透明電極片の電圧値を同時に検出するように構成される。
【手続補正３９】
【補正対象書類名】明細書
【補正対象項目名】００９４
【補正方法】変更
【補正の内容】
【００９４】
演算サブユニット９０１２１は、各透明電極片の電圧値に基づき各透明電極片の容量値を算出するように構成される。
【手続補正４０】
【補正対象書類名】明細書
【補正対象項目名】００９７
【補正方法】変更
【補正の内容】
【００９７】
選択モジュール９０３は、液晶ディスプレイが操作体によって押圧されていない場合に検出される値と異なる容量値を有する透明電極片を選択するように構成される。
【手続補正４１】
【補正対象書類名】明細書
【補正対象項目名】００９８
【補正方法】変更
【補正の内容】
【００９８】
取得モジュール９０４は、選択された透明電極片の行識別子及び列識別子を取得するように構成される。
【国際調査報告】
2017527862.tif 000016
2017527862.tif 000017
2017527862.tif 000018
2017527862.tif 000019
2017527862.tif 000020
2017527862.tif 000021